(57)【要約】  【課題】本発明は、歌唱指導機能を備えるカラオケシステムに関し、所定の楽曲の不得手な歌唱区間について、歌唱タイミングや音程の他に、歌唱者本人が模範通りに歌った場合に、どのような歌唱になっているのかを本人に効果的に知らしめ、また、不自然さが少ないガイドボーカルを再生することを目的とする。  【解決手段】スコアＤＢ４０Ａに楽曲の音符データ、歌詞データ及び楽曲唱法データに基づいて作成されたスコアデータを楽曲別に記憶しておく一方で、音素・唱法データ抽出手段４１が歌唱音声から歌唱者音素データ４５及び歌唱者唱法データ４６を抽出し、模範歌唱音声生成手段４３が歌唱された楽曲のスコアデータをスコアＤＢ４０Ａより取得し、当該スコアデータに、抽出された歌唱者音素データ４５及び歌唱者唱法データ４６を合成させた模範歌唱音声を生成して出力可能とさせる構成とする。  【選択図】  図１
2009244790.tif 000002
【特許請求の範囲】
【請求項１】
歌唱された楽曲について模範歌唱音声を合成して出力する歌唱指導機能を備えるカラオケシステムであって、
楽曲別スコアデータ管理手段、音素・唱法データ抽出手段及び模範歌唱音声生成手段を有し、
前記楽曲別スコアデータ管理手段は、楽曲の音符データ、歌詞データ及び歌唱技術をデータ化した楽曲唱法データに基づいて作成されたスコアデータを楽曲別スコアデータベースに記憶して管理し、
前記音素・唱法データ抽出手段は、歌唱音声から発声音の基本単位となる音素データ及び歌唱者の歌唱技術をデータ化した歌唱者唱法データを抽出して記憶し、
前記模範歌唱音声生成手段は、歌唱された楽曲の前記スコアデータに、前記抽出された歌唱者の音素データ及び歌唱者唱法データを合成させた模範歌唱音声を生成して出力可能とさせる、
ことを特徴とする歌唱指導機能を備えるカラオケシステム。
【請求項２】
請求項１記載の歌唱指導機能を備えるカラオケシステムであって、
さらに採点処理手段及び出力区間特定手段を備え、
前記楽曲別スコアデータ管理手段は、楽曲の音符データ、歌詞データ及び歌唱技術をデータ化した楽曲唱法データに基づいて歌唱区間毎に作成されたスコアデータを楽曲別スコアデータベースに記憶して管理し、
前記採点処理手段は、歌唱楽曲の歌唱区間毎に採点して歌唱採点値を演算し、
前記出力区間特定手段は、前記歌唱区間毎の歌唱採点値に基づいて、予め設定された基準採点値に満たない歌唱区間を特定し、
前記模範歌唱音声生成手段は、前記特定された歌唱区間のスコアデータに、前記抽出された歌唱者の音素データ及び歌唱者唱法データを合成させた模範歌唱音声を生成して出力可能とさせる、
ことを特徴とする歌唱指導機能を備えるカラオケシステム。
【発明の詳細な説明】
【技術分野】
【０００１】
本発明は、歌唱者が歌唱練習したい楽曲を歌唱した際、その歌唱音声データに基づいて当該楽曲の歌唱指導楽曲を作成し、これを出力することで、好ましくは、歌唱者が不得手とする歌唱区間に限定して出力することで、歌唱者に当該楽曲の歌唱指導を行うカラオケシステムに関する。
【背景技術】
【０００２】
近年、カラオケシステムの高機能化が進み、歌唱者は、歌唱練習したい楽曲のお手本とする指導歌唱を聴くことができる。所謂「歌唱支援システム」であるが、このシステムとは、練習対象曲を理想的に歌唱できる模範歌唱者による指導歌唱を予め録音しておき、歌唱者は、これを任意のタイミングにて聴くことができるものである。最近では、このシステムはさらに高度化し、歌唱者の歌唱音声を診断し、例えば、歌唱者が不得手の歌唱区間に限って、指導歌唱を自動出力するような技術も想到されている。
【０００３】
このような歌唱指導機能に関連し、従来、様々な技術が想到されている。例えば、特許文献１では、歌唱者が所望の楽曲を歌唱すると、その歌唱音声が一旦収音され音声データとして記憶される。制御部は、お手本音声データと当該音声データとを比較し、比較結果に基づいて当該音声データを評価区間毎に評価し、評価結果を表示させる技術が開示されている。また、特許文献２では、歌唱練習において模範となる音声を表す歌唱練習用データが予め定められた練習項目に分類され、歌唱者は練習項目を選択し、選択した練習項目に応じた歌唱練習を行うための技術が開示されている。
【０００４】
【特許文献１】特開２００８−２０７９８号公報
【特許文献２】特開２００７−３２２９３４号公報
【発明の開示】
【発明が解決しようとする課題】
【０００５】
このように、歌唱者はお手本の指導歌唱を聴き、これを参考に真似するように歌唱することで上達ができる。しかしながら、人の声質は千差万別であり、歌唱者によっては練習対象楽曲の模範歌唱者の声質と著しくかけ離れていることもあり、この場合には、歌唱者本人が当該不得手な歌唱区間で上手く歌えた場合の「歌唱の雰囲気」が非常につかみ難くなってしまう。すなわち、従来の技術では、歌唱タイミングや音程については良く認識できるものの、歌唱者本人が模範通りに歌った場合、どのような歌唱になるのかは分からない。したがって、このような課題については、従来技術の範囲では、歌唱者と声質の似ている模範歌唱者が予め歌って録音すれば良いのであるが、一人一人に異なる模範歌唱を用意することは、現実的にはあり得ないことである。
【０００６】
ところで、最近、音声合成の技術が進歩し、本来、歌唱していないにも拘わらず、個人の発声をサンプリングして、歌唱を再現できる歌唱合成装置が高性能となっている。具体的には、例えば、特開２００７−２４０５６４号公報では、音声素片データベースに各種の音声素片を示す音声素片データをサンプリングして記憶しておき、ユーザから入力される音符データ及び歌詞データを含む曲データに基づいて、歌唱音声合成に用いる複数の音声素片、発生タイミング、ピッチを指定する情報を曲の進行の時系列化した歌唱合成スコアを生成し、当該歌唱合成スコアで指定される音声素片に対応する音声素片データを上記音声素片データベースから読み出し、所定のピッチ変換、素片連結を行うことで歌唱音声を合成することが開示されている。
【０００７】
そこで、本発明は、この歌唱合成技術を好適に利用し、カラオケシステムの歌唱指導機能につき、歌唱者に歌唱タイミングや音程については良く認識させることは勿論、歌唱者一人一人に近似する声質の模範歌唱を予め用意することなく、歌唱者本人が模範通りに歌った場合、どのような歌唱になるのかを効果的に知らしめることができる、特に好ましくは、歌唱者の不得手な歌唱区間を抽出し出力して効率的に知らしめることができるカラオケシステムの提供を課題とする。
【課題を解決するための手段】
【０００８】
上記課題を解決するために、請求項１の発明では、歌唱された楽曲について模範歌唱音声を合成して出力する歌唱指導機能を備えるカラオケシステムであって、楽曲別スコアデータ管理手段、音素・唱法データ抽出手段及び模範歌唱音声生成手段を有し、前記楽曲別スコアデータ管理手段は、楽曲の音符データ、歌詞データ及び歌唱技術をデータ化した楽曲唱法データに基づいて作成されたスコアデータを楽曲別スコアデータベースに記憶して管理し、前記音素・唱法データ抽出手段は、歌唱音声から発声音の基本単位となる音素データ及び歌唱者の歌唱技術をデータ化した歌唱者唱法データを抽出して記憶し、前記模範歌唱音声生成手段は、歌唱された楽曲の前記スコアデータに、前記抽出された歌唱者の音素データ及び歌唱者唱法データを合成させた模範歌唱音声を生成して出力可能とさせる、構成とする。
【０００９】
請求項２の発明では、さらに採点処理手段及び出力区間特定手段を備え、前記楽曲別スコアデータ管理手段は、楽曲の音符データ、歌詞データ及び歌唱技術をデータ化した楽曲唱法データに基づいて歌唱区間毎に作成されたスコアデータを楽曲別スコアデータベースに記憶して管理し、前記採点処理手段は、歌唱楽曲の歌唱区間毎に採点して歌唱採点値を演算し、前記出力区間特定手段は、前記歌唱区間毎の歌唱採点値に基づいて、予め設定された基準採点値に満たない歌唱区間を特定し、前記模範歌唱音声生成手段は、前記特定された歌唱区間のスコアデータに、前記抽出された歌唱者の音素データ及び歌唱者唱法データを合成させた模範歌唱音声を生成して出力可能とさせる構成である。
【発明の効果】
【００１０】
本発明によれば、楽曲の音符データ、歌詞データ及び歌唱技術をデータ化した楽曲唱法データに基づいて作成されたスコアデータを楽曲別スコアデータベースに記憶して管理しておき、歌唱音声から発声音の基本単位となる音素データ及び歌唱者の歌唱技術をデータ化した歌唱者唱法データを抽出し、歌唱された楽曲のスコアデータに、抽出された歌唱者の音素データ及び歌唱者唱法データを合成させた模範歌唱音声を生成して出力可能とさせる構成とすることにより、歌唱タイミングや音程については勿論、歌唱者本人が模範通りに歌った場合に、どのような歌唱になるのかを本人に効果的に知らしめることができるものである。
【００１１】
また、楽曲の音符データ、歌詞データ及び歌唱技術をデータ化した楽曲唱法データに基づいて歌唱区間毎に作成されたスコアデータを楽曲別スコアデータベースに記憶して管理しておき、歌唱に際して歌唱楽曲の歌唱区間毎に採点して歌唱採点値を演算し、当該歌唱区間毎の歌唱採点値に基づいて、予め設定された基準採点値に満たない歌唱区間を特定し、特定された歌唱区間のスコアデータに、抽出された歌唱者の音素データ及び歌唱者唱法データを合成させた模範歌唱音声を生成して出力可能とさせる構成とすることにより、歌唱者の不得手な歌唱区間単位で音声合成させるだけで済み、処理時間の短縮、効率化を図ることができ、当該歌唱区間単位で歌唱タイミングや音程については勿論、歌唱者本人が模範通りに歌った場合に、どのような歌唱になるのかを本人に効果的に知らしめることができるものである。
【発明を実施するための最良の形態】
【００１２】
以下、本発明の最良の実施形態を図により説明する。
図１に、本発明のカラオケシステムにおけるカラオケ演奏システムの第１実施形態のブロック構成図を示す。図１において、カラオケ演奏システム１１は、主要装置としてのカラオケ演奏装置２１に有線又は無線で外部接続されるものとして、表示部２２、ミキシングアンプ２３、マイク２４、スピーカ２５を備える。また、有線又は無線で遠隔入出力端末２６が接続される。当該遠隔入出力端末２６は、楽曲検索選曲手段２７及び端末表示部２８を備える。
【００１３】
上記表示部２２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ２３は、カラオケ演奏装置２１より送られてくる演奏音声信号と、マイク２４からの音声信号、後述の模範歌唱音声生成手段（４３）より送られてくる模範歌唱音声とをミキシングし、増幅してスピーカ２５より出力する。
【００１４】
遠隔入出力端末２６は、図示しない端末送受信部により、カラオケ演奏装置２１に対して有線方式ないし無線方式（ＩＲ方式やブルートゥース（登録商標）機構のピコネット接続方式など）を利用してデータ授受を行うためのもので、楽曲検索手段２７及び端末表示部２８を適宜備える。
【００１５】
上記楽曲検索手段２７は、上記ユーザインタフェース機能により利用者に楽曲を検索させ、選曲させるプログラムである。上記端末表示部２８は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００１６】
上記カラオケ演奏装置２１は、バス３１、中央制御部３２、ＲＯＭ３３、ＲＡＭ３４、楽曲ＤＢ３５、映像ＤＢ３６、映像再生制御部３７、Ａ／Ｄ変換部３８、音楽演奏制御部３９、楽曲別スコアデータ管理手段４０、楽曲別スコアデータベース（スコアＤＢ）４０Ａ、音素・唱法データ抽出手段４１、模範演奏制御手段４２、模範歌唱音声生成手段４３及び送受信部４４を適宜備える。また、ＲＡＭ３４には、歌唱者音素データ４５、歌唱者唱法データ４６及び歌唱楽曲スコアデータ４７の記憶領域が形成される。なお、上記各構成について、本発明の要旨と直接関連しない要素部分であっても、従前のカラオケ装置においても大部分が適用可能であることを示すために、装置全体を説明する。
【００１７】
上記中央制御部３２は、このシステムを統括的に処理制御する物理的なＣＰＵであり、ＲＯＭ３３に記憶されているプログラムに基づくアルゴリズム処理を行う。上記ＲＡＭ３４は、後述する歌唱者音素データ４５、歌唱者唱法データ４６及び歌唱楽曲スコアデータ４７の記憶領域が形成される他に、上記種々のプログラムを展開、実行させるための作業領域としての役割をなすもので、例えば半導体メモリで構成され、仮想的にハードディスク上に構築される場合をも含む概念である。
【００１８】
上記楽曲ＤＢ３５は、楽曲毎に、音符データ、歌詞データ及び当該楽曲についての歌唱技術をデータ化した楽曲唱法データを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ３６に格納された当該楽曲毎の背景映像を表示するための所定数のシーン映像を割り当てる割当データが関連付けられる。当該映像ＤＢ３６は、背景映像表示のための所定数のシーン映像データを所定数格納するデータベースである。なお、上記唱法データとは、ビブラートや抑揚などの歌に特徴を付ける歌唱技術を周波数情報などによりデータ化したものである。
【００１９】
上記スコアＤＢ４０Ａは、歌詞データ及び歌唱技術をデータ化した楽曲唱法データに基づいて作成されたスコアデータを楽曲別に記憶するデータベースである。
【００２０】
上記映像再生制御部３７は、演奏時に、映像ＤＢ３６より抽出された所定数のシーン映像データ及び楽曲コードで楽曲ＤＢ３５より抽出された歌詞テロップデータ（歌詞文字データ）を当該楽曲の音符データに同期させて表示部２２に出力する電子回路である。上記Ａ／Ｄ変換部３８は、マイク２４からの音声信号をデジタル変換する電子回路である。上記音楽演奏制御部３９は、楽曲コードで楽曲ＤＢ３５より抽出された音符データをデジタル出力し、アナログ変換してミキシングアンプ２３に出力する電子回路である。
【００２１】
上記楽曲別スコアデータ管理手段４０は、楽曲の音符データ、歌詞データ及び歌唱技術をデータ化した楽曲唱法データに基づいて作成されたスコアデータを上記楽曲別スコアＤＢ４０Ａに記憶して管理し、歌唱された楽曲のスコアデータをＲＡＭ３４に歌唱楽曲スコアデータとして記憶させるプログラムである。
【００２２】
上記音素・唱法データ抽出手段４１は、マイク２４からＡ／Ｄ変換部３８を介して入力される歌唱音声から発声音の基本単位となる音素データ及び歌唱者の歌唱技術をデータ化した歌唱者唱法データを抽出し、当該音素データをＲＡＭ３４の歌唱者音素データ４５として記憶すると共に、当該唱法データをＲＡＭ３４の歌唱者唱法データ４６として記憶するプログラムである。ここで、音素データとは、総ての発声音を、母音、先頭子音、末尾子音、子音から母音への変化、母音から子音への変化の五つの音声素片に区分してデータ化したものである。なお、入力された歌唱音声を一旦記憶してから、歌唱者音素データ及び歌唱者唱法データを抽出することとしてもよい。
【００２３】
上記模範演奏制御手段４２は、楽曲演奏の出力を制御するプログラムである。具体的には、模範歌唱の出力時に、当該楽曲の楽曲データを楽曲ＤＢ３５より抽出して音楽演奏制御部３９に送出し、また、例えば利用者の選択により演奏のない状態で模範歌唱を出力させる場合には楽曲データを音楽演奏制御３９に送出せずに音楽演奏を出力させないものである。
【００２４】
上記模範歌唱音声生成手段４３は、歌唱された楽曲のスコアデータに、音素・唱法データ抽出手段４１で抽出されたＲＡＭ３４における歌唱者音素データ４５及び歌唱者唱法データ４６を合成させた模範歌唱音声を生成して出力可能とさせるプログラムである。当該出力可能とは、模範歌唱音声をリアルタイムで自動的に出力させる場合や、模範歌唱音声の出力を利用者の操作等により適宜選択できることを意味する。なお、模範歌唱音声の生成は、例えば前述の特開２００７−２４０５６４号公報で示されたピッチ変換や素片連結等を適用することができる。
【００２５】
上記送受信部４４は、遠隔入出力端末２６との間で有線方式ないし無線方式（ＩＲ方式やブルートゥース（登録商標）機構のピコネット接続方式など）を利用してデータ授受を行うためのもので、そのための電子回路及びプログラムである。
【００２６】
なお、図示しないが、当該カラオケ演奏装置２１には、利用者が楽曲番号を直接入力したり、演奏楽曲のテンポや、歌唱音声に対する種々の調節を行うためのボタンやツマミ類が可変抵抗器等の電子素子に直結された操作パネルも接続される。
【００２７】
そこで、図２に図１のカラオケ演奏装置における模範歌唱音声生成の処理フローチャートを示すと共に、図３に図１のカラオケ演奏装置における模範歌唱音声生成の説明図を示す。図２（Ａ）は所定の利用者による歌唱に際しての処理であり、まず、演奏が開始されると（ステップ（Ｓ）１）、音素・唱法データ抽出手段４１が、マイク２４よりＡ／Ｄ変換部３８を介して入力される歌唱音声から音素データを抽出して歌唱者音素データ４５としてＲＡＭ３４に記憶すると共に、唱法データを抽出して歌唱者唱法データとしてＲＡＭ３４に記憶する（Ｓ２）。そして、模範歌唱音声生成手段４３により歌唱された楽曲のスコアデータをスコアＤＢ４０Ａより取得されて歌唱楽曲スコアデータ４７としてＲＡＭ３４に記憶するものである（Ｓ３）。
【００２８】
また、図２（Ｂ）は、模範歌唱の出力に際しての処理であり、まず、歌唱者より模範歌唱出力の要求があると（Ｓ１１）、図３に示すように、模範歌唱音声生成手段４３が、当該歌唱された楽曲におけるＲＡＭ３４の歌唱楽曲スコアデータ４７に、当該歌唱者におけるＲＡＭ３４の歌唱者音素データ４５及び歌唱者唱法データ４６を合成することにより模範歌唱音声を生成して出力可能とさせるものである（Ｓ１２）。
【００２９】
なお、当該歌唱者が、模範歌唱音声の出力につき、例えば模範歌唱出力の要求の際に演奏出力を希望しない場合には、模範演奏制御手段４２において楽曲データは音楽演奏制御３９に送出されない。
【００３０】
このように、模範歌唱音声生成に必要な歌唱者音素データ４５及び歌唱者唱法データ４６は、本人のその楽曲の歌唱によって得られていることから、予め本人の音素データ及び唱法データを記憶しておく必要がなく、模範歌唱音声を生成することができ、歌唱タイミングや音程については勿論、歌唱者本人が模範通りに歌った場合に、どのような歌唱になっているのかを本人に効果的に知らしめることができるものである。
【００３１】
次に、図４に、本発明のカラオケシステムにおけるカラオケ演奏システムの第２実施形態のブロック構成図を示す。図４（Ａ）におけるカラオケ演奏システム１１において、図１に示すカラオケ演奏装置２１の構成要素に、新たに採点処理手段５１及び出力区間特定手段５２を備えさせ、ＲＡＭ３４に区間採点情報５３の記憶領域が形成されたものである。
【００３２】
これに伴って、上記楽曲別スコアデータ管理手段４０は、図４（Ｂ）に示すように、スコアＤＢ４０Ａにおいて楽曲の音符データ、歌詞データ及び歌唱技術をデータ化した楽曲唱法データに基づいて歌唱区間毎に作成されたスコアデータを記憶して管理するものである。
【００３３】
上記採点処理手段５１は、歌唱者の歌唱音声信号をＡ／Ｄ変換部３８を介して取得して、歌唱区間毎に採点を行い、利用者ＩＤに楽曲ＩＤ及び歌唱区間毎の歌唱採点値をＲＡＭ３４の区間採点情報６３に記憶するプログラムであり、採点処理は従前の手法が適用される。
【００３４】
上記出力区間特定手段５２は、歌唱された楽曲について上記採点処理手段５１により採点された歌唱区間毎の歌唱採点値に基づいて、予め設定された基準採点値（本実施形態では８０点とする）に満たない歌唱区間を特定するプログラムである。
【００３５】
そして、この実施形態では、上記模範歌唱音声生成手段４３は、歌唱された楽曲に対する当該出力区間特定手段の特定した歌唱区間のスコアデータに、上記抽出された歌唱者の音素データ及び歌唱者唱法データを合成させた模範歌唱音声を生成して出力可能とさせるものである。
【００３６】
そこで、図５図４のカラオケ演奏装置における模範歌唱音声生成の処理フローチャートを示すと共に、図６に図４のカラオケ演奏装置における模範歌唱音声生成の説明図を示す。図５（Ａ）において、まず、演奏が開始されると（Ｓ２１）、採点処理手段５１が、例えば図４（Ｂ）に示すような歌唱区間毎に、採点値を演算し、ＲＡＭ３４に区間採点情報６３として記憶する（Ｓ２２）。
【００３７】
Ｓ２２と同時期に、音素・唱法データ抽出手段４１が、マイク２４よりＡ／Ｄ変換部３８を介して入力される歌唱音声から音素データを抽出して歌唱者音素データ４５としてＲＡＭ３４に記憶すると共に、唱法データを抽出して歌唱者唱法データ４６としてＲＡＭ３４に記憶する（Ｓ２３）。そして、模範歌唱音声生成手段４３により、歌唱された楽曲の図４（Ｂ）に示すようなスコアデータをスコアＤＢ４０Ａより取得して歌唱楽曲スコアデータ４７としてＲＡＭ３４に記憶するものである（Ｓ２４）。
【００３８】
また、図５（Ｂ）における模範歌唱の出力に際しは、まず、歌唱者より模範歌唱出力の要求があると（Ｓ３１）、出力区間特定手段５２が、図６（Ｂ）に示すように、区間採点情報５３より当該歌唱楽曲の歌唱区間毎の採点値が基準採点値（８０点）に満たない歌唱区間（図６（Ｂ）における区間４，６，７，１０）を特定する（Ｓ３２）。
【００３９】
そして、模範歌唱音声生成手段４３が、図６（Ａ）に示すように、歌唱楽曲スコアデータ４７のうち、出力区間特定手段５２が特定した歌唱区間（図６（Ｃ）における区間４，６，７，１０）のスコアデータに、歌唱者音素データ４５及び歌唱者唱法データ４６を合成することにより模範歌唱音声を生成して出力可能とさせるものである（Ｓ３３）。
【００４０】
ところで、模範歌唱音声生成手段４３において、歌唱された歌唱楽曲の全部のスコアデータで全部の模範歌唱音声を生成し、出力区間特定手段５２の特定した歌唱区間を抜き出した状態で出力可能とさせてもよい。なお、図５、図６においても、当該歌唱者が、模範歌唱音声の出力につき、例えば模範歌唱出力の要求の際に演奏出力を希望しない場合には、模範演奏制御手段４２において楽曲データを音楽演奏制御３９に送出しないことは上記同様である。
【００４１】
このように、歌唱者の不得手な歌唱区間単位で音声合成させるだけで済み、処理時間の短縮、効率化を図ることができ、上記同様に当該歌唱区間単位で歌唱タイミングや音程については勿論、歌唱者本人が模範通りに歌った場合に、どのような歌唱になるのかを本人に効果的に知らしめることができるものである。
【産業上の利用可能性】
【００４２】
本発明の歌唱指導機能を備えるカラオケシステムは、カラオケの基本的機能を備えるカラオケ装置の分野に利用可能である。
【図面の簡単な説明】
【００４３】
【図１】本発明のカラオケシステムにおけるカラオケ演奏システムの第１実施形態のブロック構成図である。
【図２】図１のカラオケ演奏装置における模範歌唱音声生成の処理フローチャートである。
【図３】図１のカラオケ演奏装置における模範歌唱音声生成の説明図である。
【図４】本発明のカラオケシステムにおけるカラオケ演奏システムの第２実施形態のブロック構成図である。
【図５】図４のカラオケ演奏装置における模範歌唱音声生成の処理フローチャートである。
【図６】図４のカラオケ演奏装置における模範歌唱音声生成の説明図である。
【符号の説明】
【００４４】
１１            カラオケ演奏システム
２１            カラオケ演奏装置
２３            ミキシングアンプ
４０            楽曲別スコアデータ管理手段
４０Ａ          スコアＤＢ
４１            音素・唱法データ抽出手段
４２            模範演奏制御手段
４３            模範歌唱音声生成手段
４５            歌唱音素データ
４６            歌唱者唱法データ
４７            歌唱楽曲スコアデータ
５１            採点処理手段
５２            出力区間特定手段
５３            区間採点情報
【図１】
2009244790.tif 000003
【図２】
2009244790.tif 000004
【図３】
2009244790.tif 000005
【図４】
2009244790.tif 000006
【図５】
2009244790.tif 000007
【図６】
2009244790.tif 000008